(57)【要約】【課題】計器図ではタグコメントを表示する領域が狭いので、文字列のはみ出す部分は切り捨てて表示していた。そのため、オペレータはタグコメントを正確に把握することができなかったという課題を解決する。【解決手段】カーソルをタグ表示領域に位置づけるとポップアップウインドウが表示されてタグコメントの全文が表示されるようにした。また、タグ表示領域内で文字列を右から左に流れるように表示して、タグコメントの全文が表示されるようにした。さらに、これらを実現するためにツールチップやマーキー機能を使用した。オペレータがタグコメントの全文を確認することができるので、誤操作／誤判断することがなくなる。【選択図】　　　　　　図１
2004070781.tif 000002
【特許請求の範囲】
【請求項１】
計器図内の最大表示文字数が規定された文字列表示領域に文字列を表示する方法において、
前記文字列表示領域内にカーソルが位置づけられたときにポップアップウインドウを表示し、このポップアップウインドウ内に表示すべき文字列の全体を表示するようにしたことを特徴とする計器図における詳細情報表示方法。
【請求項２】
前記文字列を表示する方法として、ツールチップ機能を用いたことを特徴とする請求項１記載の計器図における詳細情報表示方法。
【請求項３】
前記文字列表示領域に表示される文字列は数字であることを特徴とする請求項１または請求項２記載の計器図における詳細情報表示方法。
【請求項４】
計器図内の最大表示文字数が規定された文字列表示領域に文字列を表示する方法において、
前記文字列表示領域内に表示すべき文字が流れるように表示するようにしたことを特徴とする計器図における詳細情報表示方法。
【請求項５】
前記文字列を表示する方法として、マーキー機能を用いたことを特徴とする請求項４記載の計器図における詳細情報表示方法。
【請求項６】
前記文字列表示領域に表示される文字列は数字であることを特徴とする請求項４または請求項５記載の計器図における詳細情報表示方法。
【請求項７】
プロセスと、このプロセスを制御する制御装置と、計器図が表示される表示装置とを有し、前記計器図によって前記制御装置の状態を表示するようにした制御システムにおいて、
前記計器図内の文字列表示領域に文字列を表示する際に、この文字列表示領域内にカーソルを位置づけたときにポップアップウインドウを表示し、このポップアップウインドウ内に表示すべき文字列の全体を表示するようにした表示制御手段を設けたことを特徴とする制御システム。
【請求項８】
前記表示制御手段は、ツールチップ機能を備えたことを特徴とする請求項７記載の制御システム。
【請求項９】
前記文字列表示領域に表示される文字列は数字であることを特徴とする請求項７または請求項８記載の制御システム。
【請求項１０】
プロセスと、このプロセスを制御する制御装置と、計器図が表示される表示装置とを有し、前記計器図によって前記制御装置の状態を表示するようにした制御システムにおいて、
前記計器図内の文字列表示領域に文字列を表示する際に、この文字列表示領域内を文字が流れるように表示するようにした表示制御手段を設けたことを特徴とする制御システム。
【請求項１１】
前記表示制御手段は、マーキー機能を備えたことを特徴とする請求項１０記載の制御システム。
【請求項１２】
前記文字列表示領域に表示される文字列は数字であることを特徴とする請求項１０または請求項１１記載の制御システム。
【発明の詳細な説明】
【０００１】
【発明の属する技術分野】
本発明は、計器図内の最大表示文字数が規定された文字列表示領域に文字列を表示する計器図における詳細情報表示方法およびそれを用いた制御システムに関するものである。
【０００２】
【従来の技術】
ＤＣＳ（Ｄｉｓｔｒｉｂｕｔｅｄ　Ｃｏｎｔｒｏｌ　Ｓｙｓｔｅｍ）あるいはＳＣＡＤＡ（Ｓｕｐｅｒｖｉｓｏｒｙ　Ｃｏｎｔｒｏｌ　Ａｎｄ　Ｄａｔａ　Ａｃｑｕｉｓｉｔｉｏｎ）などの制御システムの操作監視装置には、計器図（フェースプレート）と呼ばれる機能が備わっている。これはＣＲＴなどの表示装置に機能ブロックの状態や接点入力のデータをコンパクトかつグラフィカルに表示する機能である。
【０００３】
図４に計器図の一例を示す。図４において、３および４は計器図の例であり、用途によって使い分けられている。３１，４１はタグ表示領域であり、その計器図が表す計器の示す値やタグコメントなどの情報が表示される。
【０００４】
タグコメントとはその計器についての説明が記述されている文字列データである。オペレータはこのタグコメントによって計器の種類や性格を判断して制御装置のオペレーションを行う。そのため、タグコメントは制御装置のオペレーションにとって非常に重要な情報である。
【０００５】
計器図の画面は必要なデータをコンパクトに表示することを目的としているために一般に表示領域が小さく、それに伴ってタグ表示領域３１，４１も狭くなっている。例えば、タグ表示領域３１は半角文字で最大１６文字（全角なら８文字）、タグ表示領域４１でも半角全角合わせて最大１６文字しか表示することが出来ない。そのため、表示できない部分は切り捨てられていた。
【０００６】
【発明が解決しようとする課題】
しかしながら、このような計器図には次のような課題があった。
【０００７】
ＦＡ分野ではタグ名よりもタグコメントが重要視され、かつ長い文字列を使用する傾向がある。そのため、タグコメントの多くの部分は表示できず、切り捨てられていた。前述したように、オペレータはタグコメントを頼りにしてオペレーションを行うが、タグコメントの一部しか表示されないので全体を確認することが出来ず、誤操作あるいは誤判断を招いてしまうという課題があった。
【０００８】
前述したように、タグコメント表示領域３１，４１を拡大することは難しい。また計器の状態に応じて文字数を含む表示内容が動的に変化するため、設計時に適切な領域を確保することはさらに困難である。
【０００９】
さらに、操作監視装置をモバイル機器対応にすることが強く望まれており、そのためタグコメント表示領域はますます狭くなっていく傾向になる。それに対して表示しなければならない情報量は増える傾向にあるので切り捨てられる部分がますます増加し、タグコメント全体を把握することがますます難しくなっているという課題もあった。
【００１０】
従って本発明が解決しようとする課題は、限られた表示領域でも必要な情報を正確に表示することができる計器図における詳細情報表示方法およびそれを用いた制御システムを提供することにある。
【００１１】
【課題を解決するための手段】
このような課題を解決するために、本発明のうち請求項１記載の発明は、計器図内の最大表示文字数が規定された文字列表示領域に文字列を表示する方法であって、文字列表示領域内にカーソルが位置づけられたときにポップアップウインドウを表示し、このポップアップウインドウ内に表示すべき文字列の全体を表示するようにしたものである。長いタグコメントでも全体を表示できる。
【００１２】
請求項２記載の発明は、請求項１記載の発明において、文字列を表示する方法として、ツールチップ機能を用いたものである。簡単に作成することができる。
【００１３】
請求項３記載の発明は、請求項１または請求項２記載の発明において、文字列表示領域に表示される文字列は数字であることを特徴としたものである。桁数が多くても正確に表示できる。
【００１４】
請求項４記載の発明は、計器図内の最大表示文字数が規定された文字列表示領域に文字列を表示する方法であって、文字列表示領域内を表示したい文字が流れるように表示するようにしたものである。長いタグコメントでも全体を表示できる。
【００１５】
請求項５記載の発明は、請求項４記載の発明において、前記文字列を表示する方法として、マーキー機能を用いたことを特徴としたものである。簡単に作成することができる。
【００１６】
請求項６記載の発明は、請求項４または請求項５記載の発明において、文字列表示領域に表示される文字列は数字であることを特徴としたものである。桁数が多くても正確に表示できる。
【００１７】
請求項７記載の発明は、プロセスと、このプロセスを制御する制御装置と、計器図が表示される表示装置とを有し、前記計器図によって前記制御装置の状態を表示するようにした制御システムにおいて、
前記計器図内の文字列表示領域に文字列を表示する際に、この文字列表示領域内にカーソルを位置づけたときにポップアップウインドウを表示し、このポップアップウインドウ内に表示すべき文字列の全体を表示するようにした表示制御手段を設けたものである。長いタグコメントでも全体を表示できる。
【００１８】
請求項８記載の発明は、請求項７記載の発明において、表示制御手段は、ツールチップ機能を備えたものである。簡単に作成することができる。
【００１９】
請求項９記載の発明は、請求項７または請求項８記載の発明において、文字列表示領域に表示される文字列は数字であることを特徴としたものである。桁数が多くても正確に表示できる。
【００２０】
請求項１０記載の発明は、プロセスと、このプロセスを制御する制御装置と、計器図が表示される表示装置とを有し、前記計器図によって前記制御装置の状態を表示するようにした制御システムにおいて、
前記計器図内の文字列表示領域に文字列を表示する際に、この文字列表示領域内を文字が流れるように表示するようにした表示制御手段を設けたものである。長いタグコメントでも全体を表示できる。
【００２１】
請求項１１記載の発明は、請求項１０記載の発明において、表示制御手段は、マーキー機能を備えたものである。簡単に作成することができる。
【００２２】
請求項１２記載の発明は、請求項１０または請求項１１記載の発明において、文字列表示領域に表示される文字列は数字であることを特徴としたものである。桁数が多くても正確に表示できる。
【００２３】
【発明の実施の形態】
以下に、図に基づいて本発明を詳細に説明する。
図１は本発明に係る計器図の表示方法の一実施例を示すフローチャートである。図１において、カーソルがタグ表示領域内にあるかどうかをチェックする。このカーソルは画面に表示され、マウスその他の手段で移動できるようになっている。
【００２４】
カーソルがタグ表示領域内にあると、このタグ表示領域の近くにポップアップウインドウを作成し、その中にタグコメントを表示する。このポップアップウインドウの大きさは、タグコメント全体が表示できる大きさとする。カーソルがタグ表示領域の外に出ると、このポップアップウインドウを消去する。
【００２５】
このようにすると、必要なときにカーソルをタグ表示領域内に移動させるだけで、タグコメント全体を見ることができる。また、カーソルをタグ表示領域から外すとこのポップアップウインドウが消去されるので、他の表示の邪魔になることもない。
【００２６】
図２に計器図の表示例を示す。図２において、１は計器図、１１はこの計器図１の中のタグ表示領域である。このタグ表示領域１１にはタグコメントの一部が表示されている。２はポップアップウインドウである。このポップアップウインドウ２にはタグコメント全体が表示されている。
【００２７】
この実施例では、タグコメントは『ＰＡＳ　ＰＯＵオブジェクト　１２３４５６７８９ＥＮＤ』と定義されている。しかしながら、タグ表示領域１１にはこのタグコメントの全てを表示することができないので、『ＰＡＳ　ＰＯＵオブジェ』までしか表示されない。そのため、オペレータはタグコメント全体を確認することができない。
【００２８】
このタグ表示領域１１内にカーソルを位置づけると、ポップアップウインドウ２が表示される。図２に示すように、このポップアップウインドウ２にはタグコメントの全てが表示されるので、オペレータはタグコメントを確認することができる。そのため、オペレータが操作や判断を誤ることがなくなる。また、このポップアップウインドウ２はカーソルをタグ表示領域１１から外すと消えるので、他の表示の邪魔をすることもない。
【００２９】
狭いタグ表示領域１１のみでタグコメント全体を表示させることも可能である。例えば、文字列を右から左に流れるように表示させると、オペレータはタグコメント全体を把握することができる。言語によっては左から右に表示させた方がよい場合もある。また、縦書きのタグ表示領域の場合は、上から下あるいは下から上に流れるように表示させればよい。
【００３０】
流れるように表示すると見難くなる場合がある。このような場合には、流れを途中で止められるようにしたり、文字列をドラッグして見たい部分を選べるようにしてもよい。
【００３１】
最近の多くのコンピュータシステムには、ツールチップ（ＴｏｏｌＴｉｐ）あるいはマーキー（Ｍａｒｑｕｅｅ）と呼ばれる機能が備わっている。ツールチップはカーソルを指定の場所に位置づけると、予め指定された文字列を表示したポップアップウインドウが表示される機能であり、アイコンの説明などヘルプ機能に用いられている。
【００３２】
また、マーキーは表示すべき文字列を右から左に流れるように表示する機能である。これらの機能を計器図に応用することにより、長いタグコメントを確認することができる計器図のソフトウエアを簡単に作成することができる。
【００３３】
図１あるいは図２の実施例はタグコメントを表示する例について説明したが、本発明を他の用途に応用することもできる。計器図では数字の桁数が大きくなって指定された領域に表示できないときには、アスタリスク（’＊＊＊＊＊＊’）を表示するようになっている。このようにするのは、数字表示を途中で切り捨てると桁数が変わってしまい、オペレータが実際の値を確認することができないためである。
【００３４】
このような数字表示に、ポップアップウインドウ２で表示したり、文字列を流れるように表示したりするようにすると、桁数が最大表示文字数よりも大きくなっても正確な値を表示することができる。
【００３５】
また、タグコメント以外にも文字列を表示する箇所は多いが、計器図を小さくしなければならないという理由のために充分な表示領域を確保することは困難である。このような場合でも、前述したポップアップウインドウ２に文字列を表示する方法や文字を流れるように表示する方法を用いることにより、全文字列を表示することができる。
【００３６】
図３は本発明にかかる制御システムの構成ブロック図である。
図３で、制御装置５１はプロセス５２を制御する。表示装置５３には計器図が表示される。計器図によって制御装置５１の状態を表示する。
表示制御手段５４は、計器図内の文字列表示領域に文字列を表示する際に、この文字列表示領域内にカーソルを位置づけたときにポップアップウインドウを表示し、このポップアップウインドウ内に表示すべき文字列の全体を表示する。表示制御手段５３は、ツールチップ機能を備えている。
【００３７】
なお、表示制御手段５４は、計器図内の文字列表示領域に文字列を表示する際に、この文字列表示領域内を文字が流れるように表示してもよい。この場合、表示制御手段５４は、マーキー機能を備えている。
【００３８】
【発明の効果】
以上説明したことから明らかなように、本発明によれば、次の効果が期待できる。
請求項１記載の発明によれば、計器図内の最大表示文字数が規定された文字列表示領域に文字列を表示する方法であって、文字列表示領域内にカーソルが位置づけられたときにポップアップウインドウを表示し、このポップアップウインドウ内に表示すべき文字列の全体を表示するようにした。
【００３９】
本発明をタグ表示領域に用いることにより、タグコメント全体を確認することができるので、オペレータが誤操作／誤判断することがなくなるという効果がある。また、必要なときのみポップアップウインドウを表示することができるので、他の表示の視認性が悪くなることもない。タグコメント以外の文字列表示領域に適用しても、同様の効果が期待できる。
【００４０】
さらに、『保守中』、『点検中』などのタグマーク文字列は、表示範囲が狭いという理由で定義文字数を制限していたが、本発明を適用することによってこのような仕様上の制限をなくすることができるという効果もある。
【００４１】
請求項２記載の発明によれば、請求項１記載の発明において、文字列を表示する方法として、ツールチップ機能を用いた。既存の機能を使用するので、簡単にソフトウエアを作成することができるという効果がある。
【００４２】
請求項３記載の発明によれば、請求項１または請求項２記載の発明において、文字列表示領域１１に表示される文字列は数字であることを特徴とした。従来数字の桁数が最大表示文字数を越えた場合はその値を表示することができなかったが、本発明によって常に実際の数字を確認することができるという効果がある。
【００４３】
請求項４記載の発明によれば、計器図内の最大表示文字数が規定された文字列表示領域に文字列を表示する方法であって、文字列表示領域内を表示したい文字が流れるように表示するようにした。
【００４４】
本発明をタグ表示領域に用いることにより、タグコメント全体を確認することができるので、オペレータが誤操作／誤判断することがなくなるという効果がある。また、タグコメント以外の文字列表示領域に適用しても、同様の効果が期待できる。
【００４５】
さらに、『保守中』、『点検中』などのタグマーク文字列は、表示範囲が狭いという理由で定義文字数を制限していたが、本発明を適用することによってこのような仕様上の制限をなくすることができるという効果もある。
【００４６】
請求項５記載の発明によれば、請求項４記載の発明において、前記文字列を表示する方法として、マーキー機能を用いたことを特徴とした。既存の機能を使用するので、簡単にソフトウエアを作成することができるという効果がある。
【００４７】
請求項６記載の発明によれば、請求項４または請求項５記載の発明において、文字列表示領域に表示される文字列は数字であることを特徴とした。従来数字の桁数が最大表示文字数を越えた場合はその値を表示することができなかったが、本発明によって常に実際の数字を確認することができるという効果がある。
【００４８】
請求項７記載の発明によれば、プロセスと、このプロセスを制御する制御装置と、計器図が表示される表示装置とを有し、前記計器図によって前記制御装置の状態を表示するようにした制御システムにおいて、
前記計器図内の文字列表示領域に文字列を表示する際に、この文字列表示領域内にカーソルを位置づけたときにポップアップウインドウを表示し、このポップアップウインドウ内に表示すべき文字列の全体を表示するようにした表示制御手段を設けた。
【００４９】
本発明をタグ表示領域に用いることにより、タグコメント全体を確認することができるので、オペレータが誤操作／誤判断することがなくなるという効果がある。プロセス制御装置の操作では、一瞬の判断ミスが大きな事故につながることがあるので、効果が大きい。また、必要なときのみポップアップウインドウを表示することができるので、他の表示の視認性が悪くなることもない。
【００５０】
さらに、『保守中』、『点検中』などのタグマーク文字列は、表示範囲が狭いという理由で定義文字数を制限していたが、本発明を適用することによってこのような仕様上の制限をなくすることができるという効果もある。
【００５１】
請求項８記載の発明によれば、請求項７記載の発明において、表示制御手段は、ツールチップ機能を備えた。既存の機能を使用するので、簡単にソフトウエアを作成することができるという効果がある。
【００５２】
請求項９記載の発明によれば、請求項７または請求項８記載の発明において、文字列表示領域に表示される文字列は数字であることを特徴とした。従来数字の桁数が最大表示文字数を越えた場合はその値を表示することができなかったが、本発明によって常に実際の数字を確認することができるという効果がある。
【００５３】
請求項１０記載の発明によれば、プロセスと、このプロセスを制御する制御装置と、計器図が表示される表示装置とを有し、前記計器図によって前記制御装置の状態を表示するようにした制御システムにおいて、
前記計器図内の文字列表示領域に文字列を表示する際に、この文字列表示領域内を文字が流れるように表示するようにした表示制御手段を設けた。
【００５４】
本発明をタグ表示領域に用いることにより、タグコメント全体を確認することができるので、オペレータが誤操作／誤判断することがなくなるという効果がある。プロセス制御装置の操作では、一瞬の判断ミスが大きな事故につながることがあるので、効果が大きい。また、必要なときのみポップアップウインドウを表示することができるので、他の表示の視認性が悪くなることもない。
【００５５】
さらに、『保守中』、『点検中』などのタグマーク文字列は、表示範囲が狭いという理由で定義文字数を制限していたが、本発明を適用することによってこのような仕様上の制限をなくすることができるという効果もある。
【００５６】
請求項１１記載の発明によれば、請求項１０記載の発明において、表示制御手段は、マーキー機能を備えた。既存の機能を使用するので、簡単にソフトウエアを作成することができるという効果がある。
【００５７】
請求項１２記載の発明によれば、請求項１０または請求項１１記載の発明において、文字列表示領域に表示される文字列は数字であることを特徴とした。従来数字の桁数が最大表示文字数を越えた場合はその値を表示することができなかったが、本発明によって常に実際の数字を確認することができるという効果がある。
【図面の簡単な説明】
【図１】本発明の一実施例を示すフローチャートである。
【図２】本発明の一実施例を示す構成図である。
【図３】本発明の構成ブロック図である。
【図４】従来の計器図の構成図である。
【符号の説明】
１、３，４　計器図
１１　タグ表示領域
２　ポップアップウインドウ
５１　制御装置
５２　プロセス
５３　表示装置
５４　表示制御手段
【図１】
2004070781.tif 000003
【図２】
2004070781.tif 000004
【図３】
2004070781.tif 000005
【図４】
2004070781.tif 000006